(57)【要約】      （修正有）【課題】ユーザが表示された地図画像における２地点間の距離を自身の経験的な距離感として容易に把握できる画像表示装置を提供する。【解決手段】画像を表示する画像表示装置１は、第一地点となる現在地ＰＲと第二地点となる目的地ＧＬを含む地図画像ＰＩを生成し、第一地点から第二地点までの距離に相当する距離離れた少なくとも２つの地点であってユーザＵＳに既知の地点の情報ＨＭ及びＦ２を地図画像ＰＩに重畳して表示させる。【選択図】図１
2020060665.tif 000002
【特許請求の範囲】
【請求項１】
画像を表示する画像表示装置であって、
第一地点と第二地点とを含む地図画像を生成する地図生成手段と、
前記第一地点から前記第二地点までの距離に相当する距離離れた少なくとも２つの地点であってユーザに既知の地点の情報を前記地図画像に重畳して表示させる表示制御手段と、
を備えることを特徴とする画像表示装置。
【請求項２】
請求項１に記載の画像表示装置において、
前記既知の地点を該地点の緯度及び経度の情報とともに登録する登録手段、
をさらに備え、
前記表示制御手段は、登録された前記既知の地点の情報を前記地図画像に重畳して表示させることを特徴とする画像表示装置。
【請求項３】
請求項１または２に記載の画像表示装置において、
前記既知の地点の情報は、施設に関する情報であることを特徴とする画像表示装置。
【請求項４】
画像を表示する画像表示装置であって、
第一地点と第二地点とを含む地図画像を生成する地図生成手段と、
前記第一地点から前記第二地点までの距離に相当する距離離れた少なくとも２つの地点であってユーザに既知の地点の情報を含む既知画像を生成する画像生成手段と、
前記地図画像と前記既知画像とを合成して合成画像を生成する合成手段と、
前記合成画像を表示部に表示させる表示制御手段と、
を備えることを特徴とする画像表示装置。
【請求項５】
請求項４に記載の画像表示装置において、前記既知の地点を登録する登録手段、をさらに備え、前記画像生成手段は、登録された前記既知の地点の情報を含む既知画像を生成することを特徴とする画像表示装置。
【請求項６】
請求項５に記載の画像表示装置において、
前記画像生成手段は、前記既知の地点のいずれかが前記ユーザの自宅となるよう前記既知画像を生成し、
前記登録手段は、前記既知の地点を前記自宅からの行程とともに登録することを特徴とする画像表示装置。
【請求項７】
請求項１ないし６のいずれかに記載の画像表示装置において、
現在地から目的地までの経路を案内する案内手段、
をさらに備え、
前記第一地点から前記第二地点までの距離は前記経路に沿った距離であり、
前記地図生成手段は、前記第一地点を前記現在地とし、前記第二地点を前記目的地として前記地図画像を生成することを特徴とする画像表示装置。
【請求項８】
請求項１ないし７のいずれかに記載の画像表示装置において、
前記地図生成手段は、撮影手段により地図を被写体として撮影して取得された撮影画像に基づき、前記地図画像を生成することを特徴とする画像表示装置。
【請求項９】
請求項８に記載の画像表示装置において、
前記撮影画像に基づく前記地図画像が縮尺の変更された箇所を含む場合、前記既知画像の縮尺を該地図画像の縮尺に合致するよう修正する修正手段、
をさらに備えることを特徴とする画像表示装置。
【請求項１０】
画像を表示する画像表示方法であって、
（ａ）第一地点と第二地点とを含む地図画像を生成する工程と、
（ｂ）前記第一地点から前記第二地点までの距離に相当する距離離れた少なくとも２つの地点であってユーザに既知の地点の情報を前記地図画像に重畳して表示させる工程と、
を備えることを特徴とする画像表示方法。
【請求項１１】
コンピュータによって実行可能なプログラムであって、
前記コンピュータに、
（ａ）第一地点と第二地点とを含む地図画像を生成する工程と、
（ｂ）前記第一地点から前記第二地点までの距離に相当する距離離れた少なくとも２つの地点であってユーザに既知の地点の情報を前記地図画像に重畳して表示させる工程と、
を実行させることを特徴とするプログラム。
【発明の詳細な説明】
【技術分野】
【０００１】
本発明は、地図の画像を表示する技術に関する。
【背景技術】
【０００２】
従来より、経路案内等において例えば現在地と目的地の２地点を含む地図画像を表示し、ユーザに現在地から目的地までの全行程を提示する技術が知られている。このような技術により、ユーザは、どのような行程で経路案内が行われるのかを一見して確認できる（例えば、特許文献１）。
【先行技術文献】
【特許文献】
【０００３】
【特許文献１】特開２００４−１１７４１７号公報
【発明の概要】
【発明が解決しようとする課題】
【０００４】
しかし、提案された技術では、ユーザは現在地と目的地の距離を地図に表示されたスケール等から数値として把握するため、かかる距離を自身の経験的な距離感として把握できなかった。
【０００５】
このため、ユーザは現在地から目的地までの距離を移動した場合の体力的負担や時間的経過を自身の経験的な距離感に基づいて把握できないので、例えば目的地までの行程において休憩を適切に取得できず、目的地に到着しても体力的疲弊や時間的経過により予定の行動を果たし得ないことがあった。
【０００６】
本発明は、上記課題に鑑み、ユーザが表示された地図画像における２地点間の距離を自身の経験的な距離感として容易に把握できる技術を提供することを目的とする。
【課題を解決するための手段】
【０００７】
上記課題を解決するため、請求項１の発明は、画像を表示する画像表示装置であって、第一地点と第二地点とを含む地図画像を生成する地図生成手段と、前記第一地点から前記第二地点までの距離に相当する距離離れた少なくとも２つの地点であってユーザに既知の地点の情報を前記地図画像に重畳して表示させる表示制御手段と、を備える。
【０００８】
また、請求項２の発明は、請求項１に記載の画像表示装置において、前記既知の地点を該地点の緯度及び経度の情報とともに登録する登録手段、をさらに備え、前記表示制御手段は、登録された前記既知の地点の情報を前記地図画像に重畳して表示させる。
【０００９】
また、請求項３の発明は、請求項１または２に記載の画像表示装置において、前記既知の地点の情報は、施設に関する施設情報である。
【００１０】
また、請求項４の発明は、画像を表示する画像表示装置であって、第一地点と第二地点とを含む地図画像を生成する地図生成手段と、前記第一地点から前記第二地点までの距離に相当する距離離れた少なくとも２つの地点であってユーザに既知の地点の情報を含む既知画像を生成する画像生成手段と、前記地図画像と前記既知画像とを合成して合成画像を生成する合成手段と、前記合成画像を表示部に表示させる表示制御手段と、を備える。
【００１１】
また、請求項５の発明は、請求項４に記載の画像表示装置において、前記既知の地点を登録する登録手段、をさらに備え、前記画像生成手段は、登録された前記既知の地点の情報を含む既知画像を生成する。
【００１２】
また、請求項６の発明は、請求項５に記載の画像表示装置において、前記画像生成手段は、前記既知の地点のいずれかが前記ユーザの自宅となるよう前記既知画像を生成し、前記登録手段は、前記既知の地点を前記自宅からの行程とともに登録する。
【００１３】
また、請求項７の発明は、請求項１ないし６のいずれかに記載の画像表示装置において、現在地から目的地までの経路を案内する案内手段、をさらに備え、前記第一地点から前記第二地点までの距離は前記経路に沿った距離であり、前記地図生成手段は、前記第一地点を前記現在地とし、前記第二地点を前記目的地として前記地図画像を生成する。
【００１４】
また、請求項８の発明は、請求項１ないし７のいずれかに記載の画像表示装置において、前記地図生成手段は、撮影手段により地図を被写体として撮影して取得された撮影画像に基づき、前記地図画像を生成する。
【００１５】
また、請求項９の発明は、請求項８に記載の画像表示装置において、前記撮影画像に基づく前記地図画像が縮尺の変更された箇所を含む場合、前記既知画像の縮尺を該地図画像の縮尺に合致するよう修正する修正手段、をさらに備える。
【００１６】
また、請求項１０の発明は、画像を表示する画像表示方法であって、（ａ）第一地点と第二地点とを含む地図画像を生成する工程と、（ｂ）前記第一地点から前記第二地点までの距離に相当する距離離れた少なくとも２つの地点であってユーザに既知の地点の情報を前記地図画像に重畳して表示させる工程と、を備える。
【００１７】
また、請求項１１の発明は、コンピュータによって実行可能なプログラムであって、前記コンピュータに、（ａ）第一地点と第二地点とを含む地図画像を生成する工程と、（ｂ）前記第一地点から前記第二地点までの距離に相当する距離離れた少なくとも２つの地点であってユーザに既知の地点の情報を前記地図画像に重畳して表示させる工程と、を実行させる。
【発明の効果】
【００１８】
請求項１ないし１１の発明によれば、地図画像とユーザに既知の施設等の地点の情報を重ねて表示するので、ユーザは、地図画像における２地点間の距離を自身の経験的な距離感として容易に把握できる。
【図面の簡単な説明】
【００１９】
【図１】図１は、画像表示装置の概要を示す。
【図２】図２は、第１の実施の形態に係る画像表示装置の構成を示すブロック図である。
【図３】図３は、地図画像の例を示す。
【図４】図４は、既知画像の例を示す。
【図５】図５は、画像表示装置に表示された合成画像の例を示す。
【図６】図６は、第１の実施の形態に係る画像表示装置の処理工程を示すフローチャートである。
【図７】図７は、第２の実施の形態に係る画像表示装置の処理工程を示すフローチャートである。
【図８】図８は、第３の実施の形態に係る画像表示装置の構成を示すブロック図である。
【図９】図９は、縮尺が変更された既知画像の例を示す。
【図１０】図１０は、第３の実施の形態に係る画像表示装置の処理工程を示すフローチャートである。
【図１１】図１１は、画像表示装置に表示された合成画像の変形例を示す。
【発明を実施するための形態】
【００２０】
以下、図面を参照しつつ本発明の実施の形態について説明する。
【００２１】
＜１．第１の実施の形態＞
【００２２】
＜１−１．概要＞
【００２３】
図１は、第１の実施の形態に係る画像表示装置１の概要を示す。まず、画像表示装置１は、現在地ＰＲと目的地ＧＬを含む地図画像ＰＩを生成する。
【００２４】
画像表示装置１は、地図画像ＰＩを生成すると、現在地ＰＲから目的地ＧＬまでの経路に沿った行程としての距離に相当する距離離れた少なくとも２つの地点であってユーザＵＳに既知の地点の情報を地図画像ＰＩに重畳して表示する。
【００２５】
この際、画像表示装置１は、２つの地点のうち一方をユーザＵＳの自宅の地点を示す情報ＨＭとして現在地ＰＲの横の画面上の位置に重畳する。また、他方を現在地ＰＲから目的地ＧＬまでの距離に相当する距離だけ自宅から離れた地点を示す情報Ｆ２として目的地ＧＬの横の画面上の位置に重畳する。
【００２６】
このような地図画像ＰＩとユーザＵＳにとって既知の地点の情報ＨＭ及びＦ２との表示により、ユーザＵＳは、訪れた経験のない見知らぬ目的地ＧＬであっても、地図画像ＰＩにおける現在地ＰＲと目的地ＧＬとの２地点間の距離を自身の経験的な距離感として容易に把握できる。すなわち、ユーザは、現在地ＰＲから目的地ＧＬまでの距離を、「自宅から○○までの距離」のように、良く知っている２点間の距離に置き換えて理解することができる。
【００２７】
なお、第１の実施の形態の概要として、ユーザＵＳの現在地ＰＲから比較的近い場所を目的地ＧＬとして説明した。しかし、目的地ＧＬは遠方でもよい。ユーザＵＳは、目的地ＧＬが遠方である程、距離感を把握し難いからである。この場合、ユーザＵＳが良く知りかつ訪れた経験のある著名な場所である「○○ランド」や「××タワー」、「△△駅」等を目的地ＧＬに重畳する地点の情報とすることが好ましい。
【００２８】
＜１−２．構成＞
【００２９】
次に、第１の実施の形態に係る画像表示装置１の構成について説明する。図２は、第１の実施の形態に係る画像表示装置１の構成を示すブロック図である。画像表示装置１は、画像を表示する表示部を備えた携帯型機器や、車両等に搭載して利用される車載用機器、家庭等で用いられるパーソナルコンピュータ等である。画像表示装置１は、要するに表示部に対して画像を表示する機器であればよい。画像表示装置１は、制御部１１、表示部１２、記憶部１３、及び案内部１４を備える。
【００３０】
制御部１１は、ＣＰＵ、ＲＡＭ、及びＲＯＭを備えたマイクロコンピュータである。制御部１１は、画像表示装置１が備える他の構成と接続され、装置全体を制御する。制御部１１の備える各機能は後述する。
【００３１】
表示部１２は、文字や図形等の各種情報を表示し、ユーザに情報を視覚的に提示する。例えば、液晶ディスプレイや、プラズマディスプレイ、有機ＥＬディスプレイ等の表示装置である。なお、表示部１２は、画像表示装置１と一体に構成されてなくともよい。表示部１２は、画像表示装置１と別体に構成され、有線又は無線でデータを取得し、各種情報を表示してもよい。また、表示部１２は、図示しないタッチパネルを備える。タッチパネルは、表示部１２に表示されたボタン領域へのユーザの接触を感知し、感知した位置情報を制御部１１へ送信する。タッチパネルは、経路案内の目的地設定等に利用される。
【００３２】
記憶部１３は、データを記憶するメモリである。例えば、ＥＥＰＲＯＭ（Electrical Erasable Programmable Read-Only memory）や、フラッシュメモリ、磁気ディスクを備えたハードディスクドライブ等の不揮発性の記憶媒体である。また、記憶部１３は、地図データ１３ａ、既知データ１３ｂ、及びプログラム１３ｃを記憶している。
【００３３】
地図データ１３ａは、ベクタデータからなるベクタ形式の地図データである。所定の緯度範囲、経度範囲で区分されたメッシュ状の複数の単位地図データから構成される。また、地図データ１３ａは、緯度及び経度に対応した、道路や建物、施設等を含む。これら建物や施設等は、案内部１４によって、ユーザの目的地や経由地に設定される。
【００３４】
既知データ１３ｂは、緯度及び経度に対応した施設に関する情報を含むデータ群である。施設に関する情報とは、施設の所在する地点を示す緯度及び経度に関するデータ、及び当該施設の名称等である。また、既知データ１３ｂは、地図画像上の現在地となる第一地点から目的地となる第二地点までの距離に相当する距離離れた少なくとも２つの地点であってユーザに既知の地点の情報である。この目的のため、各施設の地点情報として自宅から当該施設までの直線距離および自宅から推奨経路（道路）に沿った道程（距離）を上記施設に関する情報の一つとして記憶するようにしても良い。これにより、現在地から目的地までの距離を自宅から既知の施設までの距離（直線距離または経路に沿った道程）として容易に示すことができる。なお、施設とは、所定の地点に立地する建物や家屋、建築物、建設物等を示す、いわゆるランドマークである。例えば、家やビルディングのほか、駅や公園、テーマパーク等を含む。施設が著名な場所である場合には、重畳して表示する施設の画像を当該施設の形状とすることで、ユーザは、直感的に当該施設を把握できる。このような既知データ１３ｂに含まれる施設に関する情報は、ユーザがその所在地を既に知っている、すなわち既知の施設である。なお、所在地と経路を既に知っているとは、ユーザが当該所在地を訪れた経験がある場合等である。ユーザは、これら施設を自身が知っているものとして画像表示装置１に事前に登録しておけばよい。
【００３５】
プログラム１３ｃは、制御部１１により読み出され、制御部１１が画像表示装置１を制御するために実行されるファームウェアである。
【００３６】
案内部１４は、現在地から目的地までの経路案内等のいわゆるナビゲーション機能を実行する。案内部１４は、画像表示装置１に内蔵された図示しないＧＰＳ受信機により受信した緯度、経度の情報から現在地を導出し、記憶部１３から取得した地図データ１３ａに対して、現在地や目的地を示すマークや通行経路等の情報を重畳する。案内部１４は、現在地を示すマーク等の情報を重畳した地図データ１３ａを制御部１１に送信する。
【００３７】
前述の制御部１１が備える各機能を説明する。制御部１１は、設定部１１ａ、地図生成部１１ｂ、画像生成部１１ｃ、合成部１１ｄ、表示制御部１１ｅ、及び登録部１１ｆを備える。
【００３８】
設定部１１ａは、地図上の所定の地点をユーザの目的地として設定する。ユーザによる目的地の設定は、目的地の名称を文字入力したり、地図上に表示された施設をタッチパネル上でタッチすることで目的地として設定できる。
【００３９】
地図生成部１１ｂは、記憶部１３から地図データ１３ａを読出し、表示部１２に表示するための地図となる地図画像を生成する。地図生成部１１ｂは、地図上における所定の２地点間を含むよう地図画像を生成する。地図生成部１１ｂは、地図に含まれる２地点がユーザの現在地と目的地となるよう地図画像を生成する。
【００４０】
画像生成部１１ｃは、記憶部１３から既知データ１３ｂを読出し、ユーザが既知の地点を含む地図である既知画像を生成する。画像生成部１１ｃは、既知の地点の１つがユーザの自宅の地点となる既知データ１３ｂを読出し、既知画像を生成する。また、画像生成部１１ｃは、既知の地点の他の１つが現在地から目的地までの距離に相当する距離だけ自宅から離れた地点となる既知データ１３ｂを読出し、既知画像を生成する。
【００４１】
なお、現在地から目的地までの距離とは、道のりに基づく行程距離である。したがって、画像生成部１１ｃは、現在地から目的地までの行程距離に相当する行程距離だけ自宅から離れた地点となる施設を既知データ１３ｂから読出し、既知画像を生成する。ただし、行程距離に代えて直線距離を用いてもよい。直線距離を用いる場合には、２地点それぞれの緯度、経度の値から算出できる。また、画像生成部１１ｃは、表示部１２の大きさ合わせて既知画像の縮尺を調整し、既知画像を生成する。したがって、地図画像と既知画像との縮尺は、必ずしも同一とはならない。現在地から目的地までの行程距離と自宅から既知の地点までの行程距離とが一致しても、両者の直線距離が異なる場合があるからである。
【００４２】
合成部１１ｄは、地図生成部１１ｂが生成した地図画像と画像生成部１１ｃが生成した既知画像とを合成し、合成画像を生成する。合成画像は、地図画像と既知画像とが透過して重畳された画像である。したがって、表示部１２に表示された合成画像を参照すると、ユーザは地図画像と既知画像とを同時に参照できる。すなわち、ユーザは、合成画像を参照することで、地図画像の現在地、目的地と道路、及び既知画像の自宅位置と施設位置を同時に参照できる。
【００４３】
表示制御部１１ｅは、画像や文字等のデータを表示部１２に表示する。また、表示制御部１１ｅは、地図生成部１１ｂが生成した地図画像及び合成部１１ｄが生成した合成画像を表示部１２に表示させる。
【００４４】
登録部１１ｆは、ユーザにとって既知の地点について、記憶部１３に既知データ１３ｂとして登録する。すなわち、登録部１１ｆは、当該既知の地点を当該地点の緯度及び経度の情報とともに記憶部１３に既知データ１３ｂとして登録する。また、登録部１１ｆは、当該既知の地点をユーザの自宅からの行程とともに記憶部１３に既知データ１３ｂとして登録する。行程とは、ユーザの自宅から既知の地点までの代表的な道のりに基づく距離である行程距離である。登録部１１ｆは、地点の緯度及び経度とユーザの自宅から既知の地点までの行程とを地図データ１３ａを参照し導出する。
【００４５】
ユーザが表示部１２に表示された地図上の施設に該当する箇所をタッチパネル上でタッチすることで、登録部１１ｆは、当該施設が既知の地点と判断し、既知データ１３ｂとして当該施設に関する情報と共に記憶部１３に登録する。
【００４６】
＜１−３．地図画像、既知画像、及び合成画像＞
【００４７】
次に、地図画像ＰＩの例を説明する。図３は、地図画像ＰＩの例である。ユーザＵＳが目的地ＧＬを設定すると、地図画像ＰＩが、ユーザＵＳの現在地ＰＲ（前述のＧＰＳ情報により画像表示装置の位置として現在地ＰＲを算出）と入力された目的地ＧＬとなる施設Ｅ１の２地点を含んで地図生成部１１ｂによって生成される。地図画像ＰＩには該当する地域に存在する道路ＲＤが表示される。地図画像ＰＩは、地図画像ＰＩの縮尺を示す縮尺表示ＳＣを表示する。縮尺表示ＳＣは、画面上の所定距離が実際上どれ程の距離となるかを示す。なお、縮尺表示ＳＣは、後述の既知画像ＦＩと合成画像ＳＩにも表示される。
【００４８】
既知画像ＦＩの例を説明する。図４は、既知画像ＦＩの例である。既知画像ＦＩは、ユーザＵＳの自宅の地点ＨＭと、現在地ＰＲから目的地ＧＬまでの距離に相当する距離だけ自宅から離れた地点Ｆ２とを含んで画像生成部１１ｃによって生成される。なお、自宅の地点ＨＭ及び自宅から離れた地点Ｆ２とは、一致する地点のみならず、地点の付近であればよい。地点Ｆ２は、例えば、ユーザが頻繁に買い物をするスーパーである。このようなユーザが頻繁に訪れる施設について、ユーザは、自宅の地点ＨＭからの距離を自身の経験的な距離感として把握している。
【００４９】
合成画像ＳＩの例を説明する。図５は、合成画像ＳＩの例である。合成画像ＳＩは、地図画像ＰＩと既知画像ＦＩとが互いに透過して重畳された画像である。したがって、合成画像ＳＩを表示することで、ユーザは、地図画像ＰＩで生成された現在地ＰＲ、目的地ＧＬ、目的地ＧＬとなる施設Ｆ１、及び道路ＲＤと、既知画像ＦＩで生成された現在地ＰＲ付近のユーザの自宅ＨＭ、目的地ＧＬ付近の施設Ｆ２、及び施設Ｆ２の名称ＮＭとを同時に参照することができる。
【００５０】
ユーザは、このような合成画像ＳＩを参照することにより、目的地ＧＬの設定時において、地図画像における現在地ＰＲから目的地ＧＬまでの距離について、自宅ＨＭから頻繁に訪れる店舗までの距離に置き換えて、自身の経験的な距離感として容易に把握することができる。なお、地図画像ＰＩにおける現在地ＰＲはユーザＵＳの移動に伴って位置が変化するが、既知画像ＦＩにおける自宅ＨＭの位置は変化しない。すなわち、現在地ＰＲの変化に伴って位置が変わることはない。このため、既知画像ＦＩの画面表示は目的地ＧＬの設定時における所定時間（例えば、既知画像が表示開始されてから１分間）とし、それによりユーザＵＳが現在地ＰＲと目的地ＧＬとの距離を自宅ＨＭから既知の施設Ｆ２までの距離として把握した後は、合成画像ＳＩにかえて地図画像ＰＩのみを表示する。
【００５１】
＜１−４．工程＞
【００５２】
次に、第１の実施の形態に係る画像表示装置１の処理工程について説明する。図６は、画像表示装置１の処理工程を示す。本工程は、所定周期で繰り返し実行される。
【００５３】
まず、設定部１１ａが、ユーザＵＳが目的地を設定したか否か判断する（ステップＳ０１）。
【００５４】
設定部１１ａがユーザＵＳは目的地を設定していないと判断すると（ステップＳ０１でＮｏ）、処理は終了する。ユーザＵＳが目的地を設定していない以上、ユーザが把握すべき２地点は存在しないからである。
【００５５】
一方、設定部１１ａがユーザＵＳは目的地を設定したと判断すると（ステップＳ０１でＹｅｓ）、地図生成部１１ｂが、記憶部１３から地図データを読み出し、地図画像ＰＩを生成する（ステップＳ０２）。
【００５６】
地図生成部１１ｂが地図画像ＰＩを生成すると、表示制御部１１ｅが、ユーザＵＳが地図画像ＰＩに既知画像ＦＩを合成することを希望しているか否か判断する（ステップＳ０３）。表示制御部１１ｅは、目的地が設定された際に、既知画像ＦＩの合成を希望するかユーザに問い合わせるメッセージを表示し、タッチパネルによるユーザの意思表示を検出することで、かかる判断を行うことができる。
【００５７】
表示制御部１１ｅは、ユーザＵＳが地図画像ＰＩと既知画像ＦＩとを合成することを希望していないと判断すると（ステップＳ０３でＮｏ）、表示部１２に地図画像ＰＩを表示する（ステップＳ０４）。この場合は、通常の経路案内が実行される。表示制御部１１ｅが地図画像ＰＩを表示すると、合成画像ＳＩを表示するための処理は終了する。ユーザが希望していない以上、既知画像ＦＩの合成は必要ないからである。
【００５８】
一方、表示制御部１１ｅがユーザＵＳは地図画像ＰＩと既知画像ＦＩとを合成することを希望していると判断すると（ステップＳ０３でＹｅｓ）、画像生成部１１ｃが、既知画像ＦＩを生成する（ステップＳ０５）。
【００５９】
画像生成部１１ｃが既知画像ＦＩを生成すると、合成部１１ｄが、地図画像ＰＩと既知画像ＦＩとを合成し、合成画像ＳＩを生成する（ステップＳ０６）。
【００６０】
合成部１１ｄが合成画像ＳＩを生成すると、表示制御部１１ｅが、表示部１２に合成画像ＳＩを所定時間表示する（ステップＳ０７）。
【００６１】
表示制御部１１ｅが表示部１２に合成画像ＳＩを表示すると、処理は終了する。その後は、表示部１２に地図画像ＰＩを表示する。
【００６２】
このように、地図画像ＰＩとユーザＵＳに既知の施設を含む既知画像ＦＩとを合成して表示部１２に表示するので、ユーザＵＳは、地図画像ＰＩにおける２地点間の距離を自身の経験的な距離感として容易に把握できる。
【００６３】
また、現在地ＰＲを第一地点とし、目的地ＧＬを第二地点とすることで、ユーザＵＳは、地図画像ＰＩにおける現在地ＰＲと目的地ＧＬとの距離を自身の経験的な距離感として容易に把握できる。
【００６４】
また、地図画像ＰＩと既知画像ＦＩとを合成して表示するので、ユーザＵＳは、視覚的かつ直感的に２地点間の距離を自身の感覚として把握できる。
【００６５】
また、既知の２つの施設のいずれかをユーザＵＳの自宅ＨＭとするので、ユーザＵＳは、２地点間の距離を自宅ＨＭからの距離として容易に把握できる。
【００６６】
＜２．第２の実施の形態＞
【００６７】
＜２−１．概要＞
【００６８】
第１の実施の形態では、画像生成部１１ｃが既知画像ＦＩを生成し、合成部１１ｄが地図画像と既知画像とを合成した。第２の実施の形態では、表示制御部１１ｅが、ユーザに既知の地点の情報について記憶部１３から既知データ１３ｂとして読出し、地図生成部１１ｂが生成した地図画像に当該情報を重畳して表示部１２に表示させる。
【００６９】
これにより、ユーザは簡易な表示で、視覚かつ直感的に２地点間の距離を自身の感覚として把握できる。
【００７０】
第２の実施の形態は、第１の実施の形態と同様の構成及び処理を含む。このため、以下、第１の実施の形態との相違点を中心に説明する。また、第１の実施の形態と同様の構成及び処理については、同様の符号を用いて説明する。
【００７１】
＜２−２．構成＞
【００７２】
表示制御部１１ｅは、地図画像上の現在地となる第一地点から目的地となる第二地点までの距離に相当する距離離れた少なくとも２つの地点であってユーザに既知の地点の情報を記憶部１３から既知データ１３ｂとして読出す。ユーザに既知の地点の情報とは、当該地点の緯度及び経度、施設の名称、及び施設を示すマーク等である。
【００７３】
表示制御部１１ｅは、地図生成部１１ｂが生成した地図画像に当該情報を重畳して表示部１２に表示させる。すなわち、表示制御部１１ｅは、地図画像における該当する地点に施設の名称及び施設を示すマークを重畳表示する。
【００７４】
＜２−３．処理＞
【００７５】
次に、第２の実施の形態に係る画像表示装置１の処理工程について説明する。図７は、画像表示装置１の処理工程を示す。本工程は、所定周期で繰り返し実行される。
【００７６】
まず、表示制御部１１ｅが、地図画像上の現在地となる第一地点から目的地となる第二地点までの距離に相当する距離離れた少なくとも２つの地点であってユーザに既知の地点の情報を記憶部１３の既知データ１３ｂから読出す（ステップＳ０２１）。
【００７７】
次に、表示制御部１１ｅが、地図生成部１１ｂが生成した地図画像に当該情報を所定時間重畳して表示部１２に表示させる（ステップＳ０２２）。その後は、表示制御部１１ｅは、ユーザに既知の地点の情報を重畳しないかたちで、地図画像ＰＩを表示部１２に表示する。
【００７８】
このような表示を行うことで、ユーザは目的地設定時（ステップＳ０１）において、簡易な表示で視覚的かつ直感的に２地点間の距離を自身の感覚として把握できる。
【００７９】
＜３．第３の実施の形態＞
【００８０】
＜３−１．概要＞
【００８１】
上記第１の実施の形態では、地図生成部１１ｂが、記憶部１３から地図データ１３ａを読出し、合成部１１ｄが既知画像ＦＩと合成するための地図となる地図画像ＰＩを生成した。これに対し、第３の実施の形態では、被写体を撮影するカメラとなる撮影部をさらに備え、地図生成部１１ｂは、撮影部が被写体として撮影した地図に基づき、地図画像ＰＩを生成する。
【００８２】
これにより、第３の実施の形態に係る画像表示装置１において、ユーザＵＳは、撮影した地図における２地点間の距離を自身の経験的な距離感として容易に把握できる。ユーザが撮影する地図は、例えば、パンフレットに掲載された地図や観光地や遊園地等の施設内に設置された地図である。
【００８３】
また、第３の実施の形態では、撮影した地図に基づき生成された地図画像ＰＩの縮尺を修正する修正部をさらに備える。
【００８４】
これにより、撮影した地図の縮尺が変更されていた場合、例えば奥行きを備えて作成されていた場合やいわゆるデフォルメされて作成されていた場合であっても、既知画像ＦＩをかかる縮尺に応じて修正する。このため、被写体として撮影した地図が変形されたものであっても、ユーザＵＳは、地図画像ＰＩにおける２地点間の距離を自身の経験的な距離感として容易に把握できる。パンフレットに掲載された地図や観光地や遊園地等の施設内に設置された地図は、必ずしも２次元的に表されておらず、奥行きを備えて表されたり、特徴的な施設を強調して他を省略し、いわゆるデフォルメされて表されている場合があるからである。なお、修正される前の地図画像ＰＩは、２次元平面的な地図とする。
【００８５】
なお、第３の実施の形態は、第１の実施の形態と同様の構成及び処理を含む。このため、以下、第１の実施の形態との相違点を中心に説明する。また、第１の実施の形態と同様の構成及び処理については、同様の符号を用いて説明する。
【００８６】
＜３−２．構成＞
【００８７】
図８は、第３の実施の形態に係る画像表示装置１の構成を示す。第３の実施の形態に係る画像表示装置１は、撮影部１５及び修正部１１ｇをさらに備える。
【００８８】
撮影部１５は、レンズと撮像素子とを備え、画像表示装置１の周辺を撮影して撮影画像を電子的に取得するカメラである。撮影部１５は、ユーザにより操作され、被写体として地図を撮影し、地図を示す撮影画像を取得する。
【００８９】
地図生成部１１ｂは、撮影部１５が地図を被写体として撮影して取得した撮影画像に基づき地図画像ＰＩを生成する。
【００９０】
修正部１１ｇは、撮影部１５撮影して取得した地図の撮影画像の縮尺が変更されていた場合、すなわちいわゆるデフォルメされていた場合であっても、既知画像ＦＩをかかる縮尺に合致するよう修正する。修正部１１ｇは、撮影画像中の施設や道路の密集度を記憶部１３の地図データ１３ａと対比することで、撮影画像の縮尺を導出する。
【００９１】
図９は、修正部１１ｇが縮尺を修正した既知画像ＦＩの例である。修正部１１ｇは、撮影画像中の施設や道路の密集度を記憶部１３の地図データ１３ａと対比し、横方向の横縮尺ＨＲ及び縦方向の縦縮尺ＶＲを導出する。修正部１１ｇは、導出した横縮尺ＨＲ及び縦縮尺ＶＲに合致するように、既知画像ＦＩを修正する。
【００９２】
＜３−３．工程＞
【００９３】
次に、第３の実施の形態に係る画像表示装置１の処理工程について説明する。図１０は、第３の実施の形態に係る画像表示装置１の処理工程を示す。
【００９４】
まず、設定部１１ａがユーザＵＳは目的地を設定したと判断すると（ステップＳ０１でＹｅｓ）、地図生成部１１ｂが、ユーザの操作により撮影部１５が地図を被写体として撮影を行ったか否か判断する（ステップＳ０１ａ）。
【００９５】
地図生成部１１ｂは、撮影部１５が撮影を行っていないと判断すると（ステップＳ０１ａでＮｏ）、第１の実施の形態と同様に記憶部１３から地図データを読み出し、地図画像ＰＩを生成する（ステップＳ０２）。
【００９６】
一方、地図生成部１１ｂは、撮影部１５が撮影を行ったと判断すると（ステップＳ０１ａでＹｅｓ）、撮影部１５が取得した地図画像に基づいて、地図画像ＰＩを生成する（ステップＳ０２ａ）。
【００９７】
画像生成部１１ｃは、既知画像ＦＩを生成すると（ステップＳ０５）、地図生成部１１ｂが生成した地図画像ＰＩの縮尺が変更されているか否か判断する（ステップＳ０５ａ）。
【００９８】
画像生成部１１ｃが地図画像ＰＩの縮尺が変更されてないと判断すると（ステップＳ０５ａでＮｏ）、合成部１１ｄが、地図画像ＰＩと既知画像ＦＩとを合成し、合成画像ＳＩを生成する（ステップＳ０６）。この場合、画像生成部１１ｃは、既知画像ＦＩの縮尺に変更を加える処理は行わない。
【００９９】
一方、画像生成部１１ｃは、地図画像ＰＩの縮尺が変更されていると判断すると（ステップＳ０５ａでＹｅｓ）、地図画像ＰＩの縮尺に合致するよう既知画像ＦＩの縮尺に変更を加え、既知画像ＦＩを生成する（ステップＳ０５ｂ）。
【０１００】
画像生成部１１ｃが既知画像ＦＩの縮尺に変更を加えて既知画像ＦＩを生成すると、合成部１１ｄが、地図画像ＰＩと既知画像ＦＩとを合成し、合成画像ＳＩを生成する（ステップＳ０６）。
【０１０１】
合成部１１ｄが合成画像ＳＩを生成すると、表示制御部１１ｅが表示部１２に合成画像ＳＩを所定時間表示し（ステップＳ０７）、処理は終了する。その後は、表示部１２に地図画像ＰＩを表示する。
【０１０２】
このように、撮影部１５が被写体として撮影した地図に基づき、地図生成部１１ｂが地図画像ＰＩを生成するので、ユーザＵＳは、撮影した地図における２地点間の距離を自身の経験的な距離感として容易に把握できる。
【０１０３】
また、撮影した地図が縮尺の変更された箇所を含む場合、既知画像ＦＩをかかる縮尺に応じて修正する。このため、被写体として撮影した地図が変形したものであっても、ユーザＵＳは、地図画像ＰＩにおける２地点間の距離を自身の経験的な距離感として容易に把握できる。
【０１０４】
＜４．変形例＞
【０１０５】
以上、本発明の実施の形態について説明した。しかし、本発明は上記実施の形態に限定されることはない。様々な変形が可能である。以下、変形例を説明する。なお、上記及び以下の実施の形態は、適宜組み合わせ可能である。
【０１０６】
上記実施の形態では、ユーザの目的地に相当する施設を１地点だけ表示した。しかし、目的地に相当する施設は、１地点より多く表示してもよい。この場合、ユーザは、現在地から目的地までの距離を自身の経験的な距離感としてより容易に把握できる。
【０１０７】
図１１は、自宅を現在地とした場合に自宅から目的地までの距離よりも少し近い地点に位置する施設Ｆ２と少し遠い地点に位置する施設Ｆ３とを表示部１２に表示した合成画像ＳＩの例である。施設Ｆ２は、ユーザが頻繁に買い物をするスーパーである。施設Ｆ３は、ユーザが度々乗降するバス停である。２つの施設Ｆ２とＦ３とを目的地付近に重畳して表示することで、ユーザは、現在地から目的地までの距離をより詳細に把握することができる。すなわち、ユーザは、現在地から目的地までの距離が自宅から○○スーパー△△店と××バス停の間であって○○スーパー△△店寄りの地点までの距離であると、現在地から目的地までの距離をより詳細に把握できる。
【０１０８】
また、上記実施の形態では、既知画像ＦＩを画像として示したが、既知画像ＦＩに相当する情報を音声又は文字で示してもよい。すなわち、既知画像ＦＩに相当する情報として、「現在地から目的地までの距離は、自宅から○○スーパー△△店の南東１０メートルの地点までの距離に相当します。」と音声を出力したり、文字を表示してもよい。この場合、ユーザは、既知画像ＦＩを画像として表示した場合に比較して、視覚的かつ直感的に現在地から目的地までの距離を把握することはできないが、少なくとも現在地から目的地までの距離を把握することは可能となる。
【０１０９】
また、上記実施の形態では、ユーザが入力操作を行うものとしてタッチパネルを説明した。しかし、タッチパネルでなくともよい。押しボタン式のスイッチでもよい。例えば、いわゆる十字キーである。要するに、ユーザの入力操作が判別できればよい。
【０１１０】
また、上記実施の形態では、各機能はプログラムに従ったソフトウェアとして実現されると説明した。しかし、ソフトウェアでなくともよい。電気的なハードウェア回路として実現されてもよい。
【符号の説明】
【０１１１】
１    画像表示装置
１１    制御部
１２    表示部
１３    記憶部
１４    案内部
１５    撮影部
【図１】
2020060665.tif 000003
【図２】
2020060665.tif 000004
【図３】
2020060665.tif 000005
【図４】
2020060665.tif 000006
【図５】
2020060665.tif 000007
【図６】
2020060665.tif 000008
【図７】
2020060665.tif 000009
【図８】
2020060665.tif 000010
【図９】
2020060665.tif 000011
【図１０】
2020060665.tif 000012
【図１１】
2020060665.tif 000013